【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
識別情報を可変表示可能な可変表示装置を有し、該可変表示装置の表示結果が予め定められた特別の表示態様となった場合に遊技者にとって有利な特別遊技状態に移行するスロットマシンであって、
前記可変表示装置の可変表示動作を開始させるための操作を行うための遊技操作手段と、
遊技状態に関する演出を行う演出手段と、
前記スロットマシンの遊技状態を制御すると共に、制御する遊技状態に応じて前記演出手段における演出を制御するための演出制御情報を送信する遊技制御手段と、
前記遊技制御手段とは別個に設けられ、前記遊技制御手段から送信された演出制御情報に従って前記演出手段に演出を行わせる演出制御手段とを備え、
前記遊技制御手段は、
前記演出中において前記遊技操作手段が操作されたか否かを判断する条件判断手段を備え、
前記条件判断手段が前記遊技操作手段が操作されたと判断した場合に、前記演出手段における演出を終了させるとともに新たな演出を開始させるための演出終了／開始指令情報を演出制御情報として前記演出制御手段に送信し、
前記演出制御手段は、
前記演出終了／開始指令情報を受信した場合に、前記演出手段において現在演出が行われているか否かを判定し、
前記演出手段において現在演出が行われていない場合には、そのまま前記受信した演出終了／開始指令情報に従って前記演出手段において新たな演出を開始させ、
前記演出手段において現在演出が行われている場合には、前記演出手段において現在行われている演出に対して演出終了処理を行って当該演出を終了させてから、前記受信した演出終了／開始指令情報に従って前記演出手段において新たな演出を開始させ、
前記スロットマシンは、前記演出制御手段により演出終了処理を行って演出が終了させられたタイミングにおいて、前記特別遊技状態に移行可能な状態となっていることを条件として、該特別遊技状態に移行可能な状態となっている旨を報知手段に報知させる報知制御手段をさらに備える
ことを特徴とするスロットマシン。
【請求項２】
前記演出手段は、画像を表示する表示手段を含み、
前記演出制御手段は、前記表示手段が表示する画像を制御することにより、前記演出を行わせる
ことを特徴とする請求項１に記載のスロットマシン。
【請求項３】
前記演出手段は、音声を発生する音声発生手段を含み、
前記演出制御手段は、前記音声発生手段が発生する音声を制御することにより、前記演出を行わせる
ことを特徴とする請求項１または２に記載のスロットマシン。
【請求項４】
前記演出手段は、光を発する発光手段を含み、
前記演出制御手段は、前記発光手段が発する光を制御することにより、前記演出を行わせる
ことを特徴とする請求項１乃至３のいずれか１項に記載のスロットマシン。
【請求項５】
前記演出手段は、前記可変表示装置とは別個に設けられた回転体を回転駆動する回転体駆動手段を含み、
前記演出制御手段は、前記回転体駆動手段による前記回転体の駆動を制御することにより、前記演出を行わせる
ことを特徴とする請求項１乃至４のいずれか１項に記載のスロットマシン。
【請求項６】
前記演出制御手段は、演出終了処理として、現在行われている一連の演出のうちの最終部分を行わせた後、当該演出を終了させる
ことを特徴とする請求項１乃至５のいずれか１項に記載のスロットマシン。
【請求項７】
前記演出制御手段は、演出終了処理として、現在行われている一連の演出のうちの残りの部分を早送りして行わせた後、当該演出を終了させる
ことを特徴とする請求項１乃至５のいずれか１項に記載のスロットマシン。
【請求項８】
前記演出制御情報は、前記遊技制御手段から前記演出制御手段への一方向に送信される
ことを特徴とする請求項１乃至７のいずれか１項に記載のスロットマシン。
【手続補正２】
【補正対象書類名】明細書
【補正対象項目名】０００８
【補正方法】変更
【補正の内容】
【０００８】
上記目的を達成するため、本発明のスロットマシンは、
識別情報を可変表示可能な可変表示装置を有し、該可変表示装置の表示結果が予め定められた特別の表示態様となった場合に遊技者にとって有利な特別遊技状態に移行するスロットマシンであって、
前記可変表示装置の可変表示動作を開始させるための操作を行うための遊技操作手段と、
遊技状態に関する演出を行う演出手段と、
前記スロットマシンの遊技状態を制御すると共に、制御する遊技状態に応じて前記演出手段における演出を制御するための演出制御情報を送信する遊技制御手段と、
前記遊技制御手段とは別個に設けられ、前記遊技制御手段から送信された演出制御情報に従って前記演出手段に演出を行わせる演出制御手段とを備え、
前記遊技制御手段は、
前記演出中において前記遊技操作手段が操作されたか否かを判断する条件判断手段を備え、
前記条件判断手段が前記遊技操作手段が操作されたと判断した場合に、前記演出手段における演出を終了させるとともに新たな演出を開始させるための演出終了／開始指令情報を演出制御情報として前記演出制御手段に送信し、
前記演出制御手段は、
前記演出終了／開始指令情報を受信した場合に、前記演出手段において現在演出が行われているか否かを判定し、
前記演出手段において現在演出が行われていない場合には、そのまま前記受信した演出終了／開始指令情報に従って前記演出手段において新たな演出を開始させ、
前記演出手段において現在演出が行われている場合には、前記演出手段において現在行われている演出に対して演出終了処理を行って当該演出を終了させてから、前記受信した演出終了／開始指令情報に従って前記演出手段において新たな演出を開始させ、
前記スロットマシンは、前記演出制御手段により演出終了処理を行って演出が終了させられたタイミングにおいて、前記特別遊技状態に移行可能な状態となっていることを条件として、該特別遊技状態に移行可能な状態となっている旨を報知手段に報知させる報知制御手段をさらに備える
ことを特徴とする。
【手続補正３】
【補正対象書類名】明細書
【補正対象項目名】０００９
【補正方法】変更
【補正の内容】
【０００９】
上記スロットマシンでは、所定の条件が成立すれば、演出手段において演出が現在行われていても、それに対して演出終了処理が行われる。このため、無駄な演出を省くことができ、１ゲーム当たりの遊技時間を短縮させることができると共に、スロットマシンの稼働率を向上させることができる。さらに、遊技者の操作、言い換えれば遊技者の意思によって演出を終了させることができる。しかも、可変表示装置の可変表示動作を開始させるための操作を行うための遊技操作手段の操作で演出終了処理を行わせることとすることで、遊技者の意思によって演出を終了させるための専用のボタン等を設ける必要がない。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
また、上記スロットマシンにおいて、
前記遊技制御手段は、遊技状態を前記特別遊技状態に移行可能な状態とするか否かを抽選する抽選手段をさらに備えるものとすることができ、
前記条件判断手段は、前記抽選手段の抽選結果により前記特別遊技状態に移行可能な状態となっているか否かをさらに判断し、
前記遊技制御手段は、前記条件判断手段が前記特別遊技状態に移行可能な状態となっていると判断した場合に、前記演出終了／開始指令情報を前記演出制御手段に送信するものとすることができる。